(57)【要約】【目的】  蹴飛ばし式でのシャッタ速度のバラツキを抑える。【構成】  シャッタ羽根３７は、回転軸４１を中心として一端４２が蹴飛ばされることで他端の開閉部４３が撮影光軸を横切ってシャッタ開口を開き、戻しバネ４８の付勢により閉じ位置に向けて戻される。戻しバネ４８は、一端がシャッタ羽根３７に、他端がシャッタ羽根３７よりも撮影光軸方向の後方に一段下がったシャッタ基板の段差部６４に取り付けられており、シャッタ羽根３７を後方に向けて付勢している。これにより、シャッタ羽根３７の揺動軌跡が一定になり、バラツキを少なくすることができる。【選択図】        図５
2006267917.tif 000002
【特許請求の範囲】
【請求項１】
シャッタ開口の前面で撮影光軸を横切るように軸着されたシャッタ羽根と、前記シャッタ羽根に設けた第１バネ受け部に一端が取り付けられ、前記シャッタ開口を閉じる閉じ位置に向けて前記シャッタ羽根を付勢する戻しバネと、を備えたレンズ付きフイルムユニットのシャッタ装置において、
前記戻しバネの一端に対して他端を、前記シャッタ羽根とは異なる部材のうちの前記撮影光軸方向の後方にズレた位置に設けた第２バネ受け部に取り付けて、前記シャッタ羽根を撮影光軸方向の後方に向けて付勢するようにしたことを特徴とするレンズ付きフイルムユニットのシャッタ装置。
【請求項２】
前記シャッタ羽根は、フイルム巻き上げ操作で初期位置からチャージ位置に往動し、シャッタレリーズ操作でチャージ位置から初期位置に復動する蹴飛ばしアームによって蹴飛ばされる爪部が一端側に形成され、他端側にシャッタ開口を開閉する開閉部が形成されるとともに、前記一端側と他端側との間で揺動自在に軸着されており、
前記シャッタ羽根には、前記爪部を含み撮影光軸に対して略垂直な平板部に、前記第１バネ受け部が一体に形成されていることを特徴とする請求項１記載のレンズ付きフイルムユニットのシャッタ装置。
【請求項３】
前記第２バネ受け部は、前記シャッタ開口、又は前記シャッタ羽根を揺動自在に支持する回転軸を一体に形成する部材に設けられていることを特徴とする請求項１又は２記載のレンズ付きフイルムユニットのシャッタ装置。
【発明の詳細な説明】
【技術分野】
【０００１】
本発明は、レンズ付きフイルムユニットに用いるシャッタ装置に関し、更に詳しくは、揺動自在な１枚のシャッタ羽根を持ち、この一端を蹴飛ばして露光開口を開閉する蹴飛ばしタイプのシャッタ装置に関するものである。
【背景技術】
【０００２】
従来、予め写真フイルムを内蔵したレンズ付きフイルムユニットが知られている。このレンズ付きフイルムユニットは、ローコスト化を図るために、揺動自在な１枚のシャッタ羽根を持ち、この一端を蹴飛ばして露光開口を開閉する蹴飛ばしタイプのシャッタ機構が用いられている。
【０００３】
このシャッタ機構は、シャッタ駆動レバー、シャッタ羽根、引き戻しバネ、及びストッパーピンなどで構成されている。シャッタ駆動レバーは、フイルム巻き上げ操作に応答して初期位置からチャージ位置にチャージバネの付勢に抗して往動し、またシャッタレリーズ操作に応答してチャージ位置から初期位置にチャージバネの開放力で復動する。シャッタ羽根は、一端に爪部が、また他端に開閉部がそれぞれ設けられており、シャッタ駆動レバーが復動するときにその一部で爪部が蹴飛ばされ、爪部と開閉部との間に設けた軸着部を中心に回転して開閉部がシャッタ開口を開く。シャッタ開口を開放した後にはシャッタ羽根の一部にストッパーピンの近傍まで回転し、その後は、引き戻しバネの付勢により引き戻されて開閉部がシャッタ開口を塞ぐ（特許文献１）。
【０００４】
近年、レンズ付きフイルムユニットには、蹴飛ばしタイプのシャッタ機構を用いてストロボ撮影時にシャッタ速度をスローシャッタにメカ的に切り替えるタイプが提案されている（特許文献２）。
【０００５】
このような蹴飛ばしタイプのシャッタ機構では、常に安定したシャッタ羽根の開閉が行われるように、シャッタ羽根の回転域を一定に確保することが必要になる。そこで、シャッタ羽根を軸支するベース板にガイドレールを突出して設け、このガイドレールと、シャッタ羽根を前方からカバーするシャッタカバーの裏面との間で、シャッタ羽根がスムーズに摺動するように揺動スペースを確保している（特許文献３）。
【特許文献１】特開平６−２５８６８６号公報
【特許文献２】特開平１１−３２６９８７号公報
【特許文献３】特開２００４−２１９８３７号公報
【発明の開示】
【発明が解決しようとする課題】
【０００６】
しかしながら、シャッタ羽根は、厚み薄い形状としており、しかも回転軸から遠い開閉部が回転軸を中心にして撮影光軸方向に振れ易く、よって、開閉中に開閉部がガイドレールに接触したり、接触しなかったり、あるいは、接触する位置が異なるなど、厳密には一定の揺動軌跡上で開閉していない。このため、シャッタ速度にバラツキが生じていた。このような不都合は、特にスローシャッタの場合に影響が大きくなる。
【０００７】
本発明は、上述のような背景に鑑みてなされたもので、シャッタ羽根を常に同じ軌跡上で揺動させてシャッタ速度の安定化を図るようにしたレンズ付きフイルムユニットのシャッタ装置を提供することを目的とする。
【課題を解決するための手段】
【０００８】
上記目的を達成するために本発明のレンズ付きフイルムユニットのシャッタ装置では、
シャッタ開口の前面で撮影光軸を横切るように軸着されたシャッタ羽根と、前記シャッタ羽根に設けた第１バネ受け部に一端が取り付けられ、前記シャッタ開口を閉じる閉じ位置に向けて前記シャッタ羽根を付勢する戻しバネと、を備え、前記戻しバネの一端に対して他端を、前記シャッタ羽根とは異なる部材のうちの前記撮影光軸方向の後方にズレた位置に設けた第２バネ受け部に取り付けたものである。
【０００９】
ところで、従来の戻しバネは、シャッタ羽根に取り付ける一端と、他の部材に取り付ける他端とを、撮影光軸方向の同じ位置、すなわち、シャッタ羽根の揺動方向のみに付勢が作用する位置取り付けていた。このため、レンズ付きフイルムユニットの組立時には、シャッタカバーを取り付けていないと、戻しバネの付勢によりシャッタ羽根が回転軸から外れてしまうことがあった。しかし、本発明では、シャッタ羽根を撮影光軸方向の後方に向けても付勢するように取り付けるため、シャッタカバーを取り付けていなくてもシャッタ羽根が外れ難くなり、レンズ付きフイルムユニットの組立時にシャッタ機構を安定して扱うことができる。
【発明の効果】
【００１０】
以上のように、本発明のレンズ付きフイルムユニットのシャッタ機構によれば、戻しバネに、シャッタ羽根を閉じ位置に向けて付勢するのに加えて、シャッタ羽根を撮影光軸方向の後方に向けて付勢する作用を持たせたから、シャッタ羽根が常にシャッタ開口に向けて付勢された状態で揺動し、安定したシャッタ速度を得ることができる。
【発明を実施するための最良の形態】
【００１１】
図１に示すように、レンズ付きフイルムユニット１０は、前カバー１１及び後カバー１２とで外カバーを構成し、外カバーの内部に本体基部１３、パトローネ付き写真フイルム１４、露光ユニット１５、及びストロボユニット１６を内蔵した構成となっている。本体基部１３には、露光開口１７（アパーチャー）が設けられており、露光開口１７を挟む一方側にパトローネ１８を収納するパトローネ室１９が、他方側にパトローネ１８から引き出した写真フイルム２０をロール状に収納するフイルム室２１がそれぞれ設けられている。パトローネ付き写真フイルム１４は、本体基部１３の背面に後カバー１２を取り付けることで密閉される。
【００１２】
露光ユニット１５は、本体基部１３のうちの露光開口１７の前に、また、ストロボユニット１６は本体基部１３の前でかつ露光ユニット１５の右隣にそれぞれ取り付けられる。
【００１３】
パトローネ室１９の上には、パトローネ１８の軸芯に係合する巻上げノブ２２が回動自在に設けられている。巻上げノブ２２の一部は後カバー１２に設けた開口２３から露呈され、フイルム巻き上げ操作に用いられる。
【００１４】
露光ユニット１５には、撮影レンズ、シャッタ機構、フイルム巻止め機構、シャッタチャージ機構、及びファインダ光学系等が内蔵されている。巻上げノブ２２をフイルム巻き上げ方向に回転すると、写真フイルム２０がパトローネ１８の巻軸に巻き取られ、この間の移送がフイルム巻止め機構を構成するスプロケットに伝達される。フイルム巻き止め機構は、１コマ分の長さだけの写真フイルム２０の移送に応じたスプロケットの回転を検知すると、スプロケットと巻上げノブ２２との回転をロックする。そして、この間のスプロケットの回転によりシャッタチャージ機構でのチャージが行われる。
【００１５】
前カバー１１の上面には、一部を切り欠いて弾性自在にしたシャッタボタン２４が一体に形成されている。シャッタボタン２４を押圧すると、シャッタチャージ機構のチャージが開放され、シャッタ機構が作動する。シャッタ機構の作動完了後には、フイルム巻き止め機構のロックが解除される。これにより次回のフイルム巻き上げ操作が許容される。
【００１６】
シャッタチャージ機構を構成するシャッタ駆動レバー３０は、図２に示すように、垂直な軸３１を中心としてチャージ位置と走行完了位置との間で回転する。軸３１にはチャージバネ３２が取り付けられており、チャージバネ３２はシャッタ駆動レバー３０を走行完了位置に向けて付勢する。シャッタ駆動レバー３０は、フイルム巻き上げ完了時にチャージバネ３２の付勢に抗して走行完了位置からチャージ位置に向けて引き戻された後にその位置で保持され、また、シャッタレリーズに応答して保持が解除されることでチャージバネ３２の付勢により走行完了位置に向けて瞬時に回転する。このシャッタ駆動レバー３０には、光軸方向の前方に向けて突出した蹴飛ばしアーム３３が設けられており、蹴飛ばしアーム３３は、先端がシャッタ羽根３７の揺動軌跡に露呈している。
【００１７】
露光ユニット１５は、撮影レンズ、シャッタ機構、フイルム巻止め機構、シャッタチャージ機構、及びファインダ光学系などを取り付けるためのベース３４をもっている。ベース３４は、樹脂成型で作られており、ベース３４の前方には、撮影光軸に直交する面をもつシャッタ基板３５が形成されている。シャッタ基板３５には、撮影光軸上にシャッタ開口３６が形成されている。このシャッタ基板３５には、シャッタ羽根３７、シャッタカバー３８、撮影レンズ３９、及びレンズホルダー４０が順に取り付けられる。シャッタ羽根３７は、回転軸４１を中心として揺動する。回転軸４１は、シャッタ基板３５と同じ部材に一体に形成され、その部材のうちの撮影光軸方向の後方に一段凹んだ段差面３５ａに、撮影光軸方向の前方に向けて突出して設けられている。
【００１８】
シャッタ羽根３７は、一端に蹴飛ばしアーム３３の移動路に入り込む爪部４２、他端にシャッタ開口３６を開閉する開閉部４３、さらに、爪部４２と開閉部４３との間に設けられた折り曲げ部４４、及び、爪部４２の下方に設けた軸受け部４５とをもち、厚みの薄いクランク板状に樹脂成型により形成されている。このシャッタ羽根３７は、爪部４２を含む第１平板部４６と、開閉部４３を含む第２平板部４７との間の折り曲げ部４４が、撮影光軸方向に沿ってクランク状に折れ曲がった断面形状となっており、軸受け部４５に回転軸４１を嵌合させることにより、この回転軸４１を中心として撮影光軸方向を横切るように揺動する。
【００１９】
シャッタカバー３８には、絞り開口５８が形成されている。このシャッタカバー３８は、シャッタ基板３５の前面に取り付けられ、取り付けることで、シャッタ羽根３７の揺動スペースを暗室状態に確保するとともに、回転軸４１から軸受け部４５が、また、第１及び第２バネ受け部６１，６３から丸フック４８ａ，４８ｂがそれぞれ抜けないように押さえる。絞り開口５８の前面外周には、筒状のレンズ受け部５９が設けられている。レンズ受け部５９には、撮影レンズ３９が挿入され、その後レンズホルダー４０を取り付けることで撮影レンズ３９が保持される。
【００２０】
シャッタ羽根３７の揺動は、図３，及び図４に示すように、蹴飛ばしアーム３３で爪部４２が蹴飛ばされた際に、開閉部４３がシャッタ開口３６を完全に開く開き位置と、戻しバネ４８の付勢によりシャッタ開口３６を閉じる閉じ位置との間で行われる。また、露光ユニット１５には、ストッパー４９が突出して設けられている。ストッパー４９は、シャッタ羽根３７が開き位置を超えて回転したときに、シャッタ羽根３７の一部に当接してこの位置を超えて回転しないように規制する。このストッパー４９は、開閉部４３の側面に当接する位置に設けられている。なお、ストッパー４９に当接されるシャッタ羽根３７の部位としては、開閉部４３の側面に当接する位置に限らず、どこでもよい。
【００２１】
シャッタ開口３６の周縁には、光軸方向の前方に一段突出した平面部５０が形成されている。この平面部５０は、開閉部４３に覆われる広さとなっている。この平面部５０には、シャッタ羽根３７が閉じ位置のときに開閉部４３の裏面が摺動する。この平面部５０の外周には、閉じ位置のときに開閉部４３を受け止める受け止め壁５１が設けられている。受け止め壁５１は、閉じ位置に向かう開閉部４３をキャッチするように細幅のＵ字状に形成されており、また、閉じ位置のときに開閉部４３の外周に当接してシャッタ開口３６の略半分の範囲を遮光する作用をもっている。残りの半分の遮光は、開閉部４３の裏面に設けた遮光リブ５３と、平面部５０との当接により行われる。
【００２２】
なお、受け止め部５１には、一部を切り欠いた切り欠き部５６が形成されており、切り欠き部５６には、開閉部４３に庇状に設けた突出部６０が閉じ位置のときに入り込む。切り欠き部５６と突出部６０との当接面は、閉じ位置のときに受け止め壁５１にシャッタ羽根が衝突するのを和らげる向きに傾斜した斜面となっており、閉じ位置でバウンドして二重露光となるのを防止する。
【００２３】
前記平面部５０からシャッタ羽根３７が開き位置に移動する移動路には、平面部５０と同じ高さの細幅のガイドレール５２が突出して設けられている。ガイドレール５２は、開閉部４３の裏面に設けた遮光リブ５３の一部に摺動してシャッタ羽根３７の開閉をガイドする。ガイドレール５２は、揺動スペース内でシャッタ羽根３７が揺動するときに、下方から外光がシャッタ開口３６に入射しないように防ぐ遮光壁の役目をする。
【００２４】
戻しバネ４８は、両端に丸フック４８ａ，４８ｂが設けられた引っ張りコイルバネとなっている。シャッタ羽根３７には、一端の丸フック４８ａが引っ掛けられる第１バネ受け部６１が設けられている。この第１バネ受け部６１は、丸フック４８ａを撮影光軸方向の前方から受け入れる軸となっており、この軸は、軸受け部４５の近傍、すなわち、第１平面部４６に設けられ、かつ軸受け部４５から開閉部４３までの半径よりも短い半径上に形成されている。
【００２５】
戻しバネ４８の他方の丸フック４８ｂは、シャッタ基板３５と同じ部材に一体に設けた第２バネ受け部６３に引っ掛けられる。第２バネ受け部６３は、図５に示すように、第１バネ受け部６１よりも撮影光軸方向の後方に一段下がった段差部６４に、撮影光軸方向の前方から他方の丸フック４８ｂが入り込む向きに突設する軸となっている。これにより、戻しバネ４８は、シャッタ羽根３７を閉じ位置に向けて付勢する作用に、シャッタ羽根３７を撮影光軸方向の後方に向けて付勢する作用をもつ。
【００２６】
次に、以上のように構成された実施例の作用について簡単に説明する。まず、巻上げノブ２２をフイルム巻き上げ方向に操作する。巻上げノブ２２の回転により写真フイルム２０は、パトローネ１８の巻軸に巻き取られる方向に移送される。この移送力がフイルム巻止め機構とシャッタチャージ機構に入力され、フイルム巻止め機構が１コマ分の長さだけ移送したことを検知してスプロケットと巻上げノブ２２との回転をロックする。この間の移送力を利用してシャッタ駆動レバー３０が走行完了位置からチャージ位置にチャージバネ３２の付勢に抗して引き戻され、チャージ位置で保持される。
【００２７】
撮影するときには、シャッタボタン２４を押圧操作する。このシャッタレリーズに応答してシャッタ駆動レバー３０のチャージ位置での保持が解除される。シャッタ駆動レバー３０は、保持が解除されるとチャージバネ３２の付勢力により走行完了位置に向けて瞬時に回転し、この間に蹴飛ばしアーム３３でシャッタ羽根３７の爪部４２を蹴飛ばす。これによりシャッタ羽根３７が回転軸４１を中心として１往復揺動し、シャッタ開口３６を開閉して露光を行う。
【００２８】
シャッタ羽根３７の開閉を詳しく説明する。閉じ位置のときのシャッタ羽根３７は、戻しバネ４８が開閉部４３を受け止め壁５１（閉じ位置）に向けて付勢しているとともに、図６に示すように、撮影光軸方向の後方に向けてシャッタ羽根３７を付勢しているから、開閉部４３が受け止め壁５１に、及び、遮光リブ５３が平面部５０に向けて付勢されるため、シャッタ開口３６を取り囲む遮光が確実に行えている。これにより、通常での使用はもとよりレンズ付きフイルムユニット１０を携帯する時に衝撃を与えても、その遮光状態を確実に維持することができ、シャッタ開口３６の遮光性が向上する。
【００２９】
開閉すると、開閉部４３が平面部５０から離れ、開き位置に向けて移動し、ストッパー４９で当接することで、戻しバネ４８の付勢により閉じ位置に向けて戻る。この開閉中でも、図７に示すように、戻しバネ４８が撮影光軸方向の後方に向けてシャッタ羽根３７を付勢しているから、開閉部４３がどの位置であっても撮影光軸方向の後方に向けて付勢され、よって、遮光リブ５３がガイドレール５２に確実に当接した状態となる。このため、開閉中も揺動スペースの下方から外光がシャッタ開口３６に入り込むのを防止することができ、確実な遮光が行えるとともに、開閉中にシャッタカバー３８の裏面に当接することも無くなるため、摩擦抵抗を従来のものよりも低減することができる。このため、シャッタ羽根３７の揺動軌跡が一定になり、シャッタ速度のバラツキを防ぐことができる。
【００３０】
こうして撮影を行った後は、再び巻上げノブ２２を回動操作してフイルム１コマ送りを行い、以後は前述したと同様にシャッタレリーズを行うことで撮影を継続してゆくことができる。
【００３１】
また、遮光性やシャッタ速度の安定性が向上する他に、レンズ付きフイルムユニット１０を組立時において、未だシャッタカバー３８が取り付けられていない状態のときに、従来の戻しバネでは振動や衝撃を与えると、戻しバネ４８の閉じ位置のみへの付勢力によってシャッタ羽根３７が回転軸４１から外れてしまうことがあったが、前述したように、戻しバネ４８に、シャッタ羽根３７を撮影光軸方向の後方に向けて付勢する作用をもたせたから、シャッタ羽根３７が回転軸４１から外れ難くなり、よって組立性も向上する。
【００３２】
上記実施形態では、シャッタ羽根３７をクランク形状に折り曲げたものとしているが、本発明ではこれに限らず、単に平板１枚のシャッタ羽根を用いても良い。また、戻しバネ４８としては引っ張りコイルバネを用いているが、これに代えて、圧縮コイルバネなどのバネを利用することができる。
【００３３】
また、上記実施形態で説明したシャッタ機構をレンズ付きフイルムユニットに用いているが、これに限らず、カメラにも採用することができる。
【図面の簡単な説明】
【００３４】
【図１】本発明を用いたレンズ付きフイルムユニットを示す分解斜視図である。
【図２】露光ユニットを示す解斜視図である。
【図３】閉じ位置にあるシャッタ羽根を示す正面図である。
【図４】開き位置にあるシャッタ羽根を示す正面図である。
【図５】シャッタ羽根、及び戻しバネを示す側面図である。
【図６】閉じ位置のときのシャッタ羽根を示す断面図である。
【図７】開閉中のシャッタ羽根を示す断面図である。
【符号の説明】
【００３５】
３７  シャッタ羽根
３８  シャッタカバー
４３  開閉部
４８  戻しバネ
５２  ガイドレール
６１  第１バネ受け部
６３  第２バネ受け部
【図１】
2006267917.tif 000003
【図２】
2006267917.tif 000004
【図３】
2006267917.tif 000005
【図４】
2006267917.tif 000006
【図５】
2006267917.tif 000007
【図６】
2006267917.tif 000008
【図７】
2006267917.tif 000009